(57)【要約】      （修正有）【課題】敷き布団カバーの位置ずれも起きにくく、しかも手軽に敷き布団カバーの交換を行うことができ、また長さの異なる敷き布団に対しても装着することが可能で、洗濯の乾きも早い敷き布団カバーを提供することにある。【解決手段】敷き布団２の上面側２ａに装着される敷き布団カバー１において、敷き布団２の幅と略同一幅を有し且つ敷き布団の任意長さに対してこれよりも十分な長さを有する長方形のカバー本体１１の長さ方向の一端側を一部重ね合わせて折り返し、折り返した両幅縁１２ａを逢着して敷き布団２の一端側が挿入される袋部１２を形成し、カバー本体１１の長さ方向の他端側を敷き布団２の任意長さより長くして敷き布団２の他端の下面側２ｂに折り曲げ差込み自在にした。【選択図】図３
0003108950.tif 000002
【実用新案登録請求の範囲】
【請求項１】
敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端側を一部重ね合わせて折り返し、折り返した両幅縁を逢着して敷き布団の一端側が挿入される袋部を形成し、カバー本体の長さ方向の他端側を敷き布団の任意長さより長くして敷き布団の他端の下面側に折り曲げ差込み自在にしたことを特徴とする敷き布団カバー。
【請求項２】
敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端側を一部重ね合わせて折り返し、折り返した両幅縁を逢着して敷き布団の一端側が挿入される袋部を形成し、カバー本体の長さ方向の他端側を敷き布団の任意長さより長くして敷き布団の他端の下面側に折り曲げ差込み自在にすると共に、カバー本体の両幅側に装飾片をその幅方向に沿って形成したことを特徴とする敷き布団カバー。
【考案の詳細な説明】
【技術分野】
【０００１】
この考案は、敷き布団の表面が汚れないようその上面側に装着される敷き布団カバーに関するものである。
【背景技術】
【０００２】
敷き布団の表面が睡眠者の汗などで汚れないように、敷き布団の上面には敷き布団カバーが装着される。敷き布団カバーの代表的なものとしてはシーツが知られている。シーツは、その長手方向の両端側を折り曲げて敷き布団と畳みなどの床面との間に挟み込んで敷き布団の表面に装着されるため、睡眠者の寝返りなどでシーツが敷き布団から簡単に位置ずれしたり一部外れたりする不都合がある。
このため、このような不都合を解消するものとして、敷き布団全体を袋状の内側に収納する袋状敷き布団カバー、両端側に敷き布団の両端側を入れる一部袋状のものが形成された両端一部袋状敷き布団カバー、四隅に敷き布団に引っ掛けて止めるようにした係止バンドが形成された四隅係止型敷き布団カバーなどが知られている。
【特許文献１】特開２００１−９５６６３
【特許文献２】実用新案登録第３０２７２４１号
【考案の開示】
【考案が解決しようとする課題】
【０００３】
しかしながら、前記の袋状敷き布団カバーは、敷き布団全体を袋状の内側に収納するため、洗濯などのために敷き布団カバーを交換する場合、敷き布団全体を袋状の内側から取り出し、その取り出した敷き布団全体を新しい袋状敷き布団カバーの袋状の内側に入れなければならずに、体力と手間がかかり非常に面倒である。
また、前記の両端一部袋状敷き布団カバーは、上記の袋状敷き布団カバーように敷き布団全体を袋状の内側に収納しないので体力と手間がかからないが、敷き布団の長さに対して敷き布団カバーが短かったり逆に長すぎる場合には使用できないという不都合がある。
さらに、前記の四隅係止型敷き布団カバーは、上記の袋状敷き布団カバーように敷き布団全体を袋状の内側に収納しないので体力と手間がかからないが、敷き布団の長さに対して敷き布団カバーが短かったり逆に長すぎる場合には使用できず、又四隅を係止バンドなどで敷き布団の四隅に引っ掛けて係止させるために位置ずれや外れやすいなどの不都合がある。
【０００４】
この考案は、上記のような課題に鑑み、その課題を解決すべく創案されたものであって、その目的とするところは、敷き布団カバーの位置ずれも起きにくく、しかも手軽に敷き布団カバーの交換を行うことができ、また長さの異なる敷き布団に対しても装着することが可能で、洗濯の乾きも早い敷き布団カバーを提供することにある。
【課題を解決するための手段】
【０００５】
以上の目的を達成するために、請求項１の考案は、敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端側を一部重ね合わせて折り返し、折り返した両幅縁を逢着して敷き布団の一端側が挿入される袋部を形成し、カバー本体の長さ方向の他端側を敷き布団の任意長さより長くして敷き布団の他端の下面側に折り曲げ差込み自在にしたことを特徴とする。
【０００６】
また、請求項２の考案は、敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端側を一部重ね合わせて折り返し、折り返した両幅縁を逢着して敷き布団の一端側が挿入される袋部を形成し、カバー本体の長さ方向の他端側を敷き布団の任意長さより長くして敷き布団の他端の下面側に折り曲げ差込み自在にすると共に、カバー本体の両幅側に装飾片をその幅方向に沿って形成したことを特徴とする。
【考案の効果】
【０００７】
以上の記載より明らかなように、請求項１の考案に係る敷き布団カバーによれば、敷き布団カバーの一端側に形成した袋部に敷き布団の一端側を挿入して装着するので、敷き布団カバーの位置ずれも起きにくく、しかも敷き布団カバーの敷き布団への取り付け作業にも体力や手間を余りかけることなく行うことができ、手軽に敷き布団カバーの交換を行うことができる。また、敷き布団カバーの他端側は十分に長く敷き布団の長さに合わせて折り曲げて敷き布団の下面側に差し込むことで、長さの異なる敷き布団に対しても装着することが可能となり、昨今のように、若い人と老人とで身長差があり、敷き布団の長さが異なる場合でも容易に双方に対応して使用することができる。さらに、全体が袋状になっている敷き布団カバーに比べて、一部が袋状になっているに過ぎないので洗濯した場合にその乾きも早い。
【０００８】
また、請求項２の考案に係る敷き布団カバーによれば、上記の効果に加えて、特に女性や子供は例えばレース状の装飾片が敷き布団カバーの両幅側に形成されているだけで使用するときに楽しさが生じ、又幸福感が生じるものである。
【考案を実施するための最良の形態】
【０００９】
以下、図面に記載の考案を実施するための最良の形態に基づいて、この考案をより具体的に説明する。
ここで、図１は敷き布団カバーの斜視図、図２（Ａ）は敷き布団カバーの底面図、図２（Ｂ）は長さが長い敷き布団の平面図、図２（Ｃ）は長さが短い敷き布団の平面図、図３（Ａ）は敷き布団カバーの側面図、図３（Ｂ）は敷き布団カバーを長さが長い敷き布団に装着したときの側面図、図３（Ｃ）は敷き布団カバーを長さが短い敷き布団に装着したときの側面図、図４（Ａ）は装飾片付きの敷き布団カバーの斜視図、図４（Ｂ）は装飾片付きの敷き布団カバーの装飾片が逢着された幅側の断面図である。
【００１０】
図において、敷き布団カバー１は、敷き布団２の上面側２ａに装着されるカバーで、十分な長さを有する長方形のカバー本体１１と、カバー本体１１の長さ方向の一端側に形成された袋部１２と、敷き布団２に装着時に敷き布団２の下面側に折り曲げて差し込まれるカバー本体１１の他端側の折り曲げ差し込み片１３とから構成される。
【００１１】
カバー本体１１は、敷き布団２の幅と略同一幅を有しており、且つ敷き布団２の任意長さに対してこれよりも十分に長い長さを有する長方形の生地から構成される。カバー本体１１には例えば白地の洗濯に強い生地が使用される。また、その取扱いが楽になるように軽量な生地が使用される。なお、白地以外の色地のものでもよい。
【００１２】
カバー本体１１が長さ方向に十分に長いのは、その長さ方向の一端側に生地を折り返して袋部１２が形成され、長さ方向の他端側は大小の長さの敷き布団２のいずれに対しても折り曲げて敷き布団２の他端側の下面側２ｂに折り曲げて差し込めるようにするためである。
【００１３】
袋部１２は、敷き布団カバー１の一端側に敷き布団２の一端側を挿入させて敷き布団カバー１が位置ずれしないようにするためのものである。袋部１２はカバー本体１１の長さ方向の一端側を一部重ね合わせて下向きに折り返し、折り返した両幅縁１２ａを逢着して形成される。
【００１４】
袋部１２は、使用時に敷き布団カバー１の下側となる敷き布団２の一端側が挿入されるため、敷き布団カバー１の下面側に形成されることになる。袋部１２はその内部側が敷き布団カバー１の一端側の上面側と下向きに折り返した下面側とにより形成される。
【００１５】
袋部１２には敷き布団２の一端側が挿入される開口部１２ｂが形成されている。袋部１２の開口部１２ｂは、一部重ね合わせて下向きに折り返した先端部分、つまり敷き布団カバー１の下面側の一端側寄り部分に形成される。
【００１６】
一端側に袋部１２が形成された敷き布団カバー１の他端側は、大小の敷き布団２より長くなっていて、この敷き布団カバー１を敷き布団２に装着した場合、敷き布団２の他端側からその下面側２ｂに折り曲げて差し込めるのに十分な長さの折り曲げ差し込み片１３になっている。これにより、敷き布団２の長さの大小に関係なく、敷き布団カバー１を使用することができる。
【００１７】
また、敷き布団カバー１のカバー本体１１の両幅側には、必要に応じて例えばレース状の装飾片１４が形成される。例えばレース状の装飾片１４はカバー本体１１の幅方向に沿って形成されている。例えばレース状の装飾片１４はその幅側の上下先端側がカバー本体１１の両幅側を上下から挟んで逢着される。
【００１８】
この装飾片１４が両幅側に形成された敷き布団カバー１は、特に女性、子供などが使用するものに採用される。女性や子供はこのような装飾片１４が敷き布団カバー１に形成されているだけで使用するときに楽しさが生じ、又幸福感が生じるものである。
【００１９】
次に、上記考案を実施するための最良の形態の構成に基づく使用について以下説明する。
敷き布団カバー１の敷き布団２の上面側２ａへの装着は、袋部１２が形成された敷き布団カバー１の一端側を下側向きにして、袋部１２の開口部１２ｂを開き、開いた袋部１２の開口部１２ｂを敷き布団カバー１の下側になる敷き布団２の一端側にはめ込むようにして、敷き布団２の一端側を敷き布団カバー１の袋部１２の内側に挿入する。
【００２０】
敷き布団カバー１はその一端側の袋部１２に敷き布団２の一端側が挿入されることにより、敷き布団カバー１は敷き布団２から簡単に外れたりすることがなく、又少なくとも敷き布団カバー１の一端側は敷き布団２と位置ずれを起こすこともない。
【００２１】
このようにして、敷き布団カバー１の袋部１２に敷き布団２の一端側を挿入した後、袋部１２の反対側となる敷き布団カバー１の他端側の折り曲げ差し込み片１３側を両手で掴んで引っ張り、敷き布団カバー１のしわを伸ばす。
【００２２】
敷き布団カバー１の他端側は敷き布団２に比べて十分に長いので、長さが大小の敷き布団２に対して同一の敷き布団カバー１を使用することができ、敷き布団２の長さの大小に応じて敷き布団カバー１を代える煩わしさから開放されることになる。
【００２３】
敷き布団カバー１を引っ張ってしわを伸ばした後、敷き布団カバー１の他端側の折り曲げ差し込み片１３側を敷き布団２の他端で下向きに折り曲げて、敷き布団２の他端側の下面側２ｂと畳みなどの床面との間に差し込むことで、敷き布団カバー１の敷き布団２の上面側２ａへの装着作業は終了する。
【００２４】
なお、この考案は上記考案を実施するための最良の形態に限定されるものではなく、この考案の精神を逸脱しない範囲で種々の改変をなし得ることは勿論である。
【図面の簡単な説明】
【００２５】
【図１】この考案を実施するための最良の形態を示す敷き布団カバーの斜視図である。
【図２】（Ａ）はこの考案を実施するための最良の形態を示す敷き布団カバーの底面図である。  （Ｂ）は長さが長い敷き布団の平面図である。  （Ｃ）は長さが短い敷き布団の平面図である。
【図３】（Ａ）はこの考案を実施するための最良の形態を示す敷き布団カバーの側面図である。  （Ｂ）はこの考案を実施するための最良の形態を示す敷き布団カバーを長さが長い敷き布団に装着したときの側面図である。  （Ｃ）はこの考案を実施するための最良の形態を示す敷き布団カバーを長さが短い敷き布団に装着したときの側面図である。
【図４】（Ａ）はこの考案を実施するための最良の形態を示す装飾片付きの敷き布団カバーの斜視図である。  （Ｂ）はこの考案を実施するための最良の形態を示す装飾片付きの敷き布団カバーの装飾片が逢着された幅側の断面図である。
【符号の説明】
【００２６】
１    敷き布団カバー
１１    カバー本体
１２    袋部
１２ａ  両幅縁
１２ｂ  開口部
１３    折り曲げ差し込み片
１４    装飾片
２    敷き布団
２ａ  上面側
２ｂ  下面側
【図１】
0003108950.tif 000003
【図２】
0003108950.tif 000004
【図３】
0003108950.tif 000005
【図４】
0003108950.tif 000006